(57)【要約】【課題】  プリンタなどの画像出力装置でスポットカラー補正を行う際に、補正テーブルの更新が必要かどうかわからないユーザであっても、手軽に補正テーブルの更新が行えるようにする。【解決手段】  スポットカラー補正テーブルの有効条件（有効期限や目標色との最大色差など）をあらかじめフロントエンドサーバに格納しておき、テーブルの更新が必要かどうかをチェックさせる。必要と判断されれば、自動的にテーブルの更新処理を行う。【選択図】  図１２
2008301350.tif 000002
【特許請求の範囲】
【請求項１】
プリンタプロファイルを使ったカラーマッチングによりプリンタにカラー画像を出力させるシステムにおいて、
既存のプリンタプロファイルが存在する場合に、識別子で表現された目標色を設定する手段と、
上記目標色と、上記目標色をプリンタプロファイルを用いて再現したデバイス色との差分をスポットカラー補正テーブルとして保持する手段と、
上記スポットカラー補正テーブルの上記目標色に該当する部分の履歴情報を保持する手段と、
プリンタの色再現に関する知識のあるユーザがあらかじめ設定した補正テーブルの有効条件を保持する手段と、
上記履歴情報とスポットカラー補正テーブルの有効条件を比較する手段と、
上記比較結果に応じた処理を行う手段と
を有することを特徴とするスポットカラー補正方法。
【請求項２】
前記履歴情報は、前記目標色について、プリンタプロファイルとスポットカラー補正テーブルの最終更新日、測色値、目標色との色差ΔEであることを特徴とする請求項１記載のスポットカラー補正方法。
【請求項３】
ある時点でのプリンタの状態で、プリンタプロファイルとスポットカラー補正テーブルを利用して目標色を出力し、測色機で測色した結果と、目標色との色差であることを特徴とする請求項２記載の測色値と目標色との色差ΔE。
【請求項４】
上記スポットカラー補正テーブルの有効条件は、テーブルの有効期限や、テーブルを用いた補正結果と目標色との最大色差を設定することを特徴とする請求項１記載のスポットカラー補正方法。
【請求項５】
上記比較結果に応じた処理を行う手段において、
上記有効条件を満たす場合はそのまま処理を終了し、満たさない場合に自動的にスポットカラー補正テーブルの更新処理を行うことを特徴とする請求項１記載のスポットカラー補正方法。
【発明の詳細な説明】
【技術分野】
【０００１】
本発明は、カラープリンタに出力する際に、ある特定の色に対して安定した出力を得るために行うキャリブレーションまたはプリンタプロファイルの調整技術に関するものである。
【背景技術】
【０００２】
カラープリンタを使ってある目標色を忠実に再現する技術として、スポットカラーマッチング技術などがある。これは、初期状態でプリンタプロファイルが適切に調整されていることが前提で成り立つ技術であり、プリンタの状態が環境変動などの影響を受けると、安定した出力が得られないことがある。その解決案として、プリンタプロファイルの再作成が考えられるが、これはプリンタの色再現空間全体に対して最適化したプロファイルを生成するものであるため、その作業の手間と時間がかかることが問題となる。
【０００３】
そこで、初期プロファイルにおいてデバイス非依存色空間からプリンタ色再現空間への対応関係で目標色の変換に影響する部分を変更し、目標色に対して上記推定したプリンタ色が対応するようにプリンタプロファイルの調整を行うという手法が提案された。また、特開2006-174371において、プロファイルを書き換えずに別途テーブルを持たせることで、テーブルの更新履歴や色再現精度をユーザがチェックした上で、指定した場合にのみ補正結果を適用する手法が提案された。
【特許文献１】特開２００６−１７４３７１号公報
【特許文献２】特開２００１−３２４８４６号公報
【発明の開示】
【発明が解決しようとする課題】
【０００４】
しかしながら上記提案では、スポットカラー補正を行う際には必ずユーザが更新履歴や精度をチェックしなければならず、プリンタの色再現に関する知識を持たないユーザにとって、補正データがどういう場合に有効なのか判断がしづらく、手軽に補正を行うことは難しい。
【課題を解決するための手段】
【０００５】
このような課題を解決するために、本発明は、
プリンタプロファイルを使ったカラーマッチングによりプリンタにカラー画像を出力させるシステムにおいて、
既存のプリンタプロファイルが存在する場合に、色票の色名等で表現された目標色を設定する手段と、
上記目標色と、上記目標色をプリンタプロファイルを用いて再現したデバイス色との差分をスポットカラー補正テーブルとして保持する手段と、
上記スポットカラー補正テーブルの上記目標色に該当する部分の履歴情報を保持する手段と、
プリンタの色再現に関する知識のあるユーザがあらかじめ設定した補正テーブルの有効条件を保持する手段と、
上記履歴情報とスポットカラー補正テーブルの有効条件を比較する手段と、
上記比較結果に応じた処理を行う手段と
を有することを特徴とする。
【発明の効果】
【０００６】
本発明により、スポットカラー補正テーブルが有効である条件をあらかじめ設定しておくことで、プリンタの色再現について詳しいユーザだけでなく、特別な知識を持たないユーザであっても手軽にスポットカラー補正を行うことできる。
【発明を実施するための最良の形態】
【０００７】
以下に本発明の実施例を、図面を参照しながら詳細に説明する。
【０００８】
図１は本発明の一実施例によるネットワークシステムの構成を示す図である。
【０００９】
図１のように、本実施例によるネットワークシステムは、ＬＡＮ等のサイトＡに、プリンタコントローラとなるフロントエンドサーバ１、プリンタエンジン２（フロントエンドサーバでネットワークに接続）、クライアントＡ（ＰＣとモニタを含む）が接続され、構成されている。クライアントＡは、ユーザに対して情報表示やデータ入力の受け付けをするUIが接続されており、また、画像処理に必要なＣＰＵ・ＶＲＡＭ等及びネットワーク上の通信に必要な通信機能を備えている。
【００１０】
図２は前出のフロントエンドサーバ１、プリンタエンジン２の構成を示す図である。
【００１１】
図２のように、フロントエンドサーバ１はネットワークに接続するためのネットワークＩ／Ｆ（インタフェース）部１０、ジョブデータを制御するジョブ制御部１１、ＰＤＬ（ページ記述言語）を解析して中間データを生成するＰＤＬインタプリタ部１２、ＰＤＬインタプリタ部で生成された中間データが格納される中間データ格納部１３、中間データ格納部に格納された中間データをビットマップイメージデータに変換するレンダリング部１４、プリンタエンジン２とのデータのやり取りを行うための通信インタフェース部１５、ユーザが設定するデバイス非依存色空間の色値である目標色を格納する目標色格納部１６、目標色に対して生成される複数の色から構成されるカラーパッチチャートを生成するカラーパッチ生成部１７、該カラーパッチを格納するカラーパッチデータ格納部１７A、ジョブに対して指定されたカラーマッチング及びキャリブレーション処理を行うカラーマネージメント処理部１８、カラーマッチングに使用されるプロファイルが格納されるプロファイル格納部１８Ａ、キャリブレーションデータのうち、一次元ＬＵＴが格納されるキャリブレーション一次元ＬＵＴ（Look Up Table）格納部１８B、デバイス非依存のカラーパッチデータをプリンタ色に変換したデバイス色パッチデータの保存場所であるデバイス色パッチデータ格納部１９、現在の状態ではプリンタが目標色をどんな色で出力するかを、カラーセンサの測色結果を元に推測するデバイス色推定部２０、該デバイス色を格納するデバイス色格納部２０Ａ、初期プリンタプロファイルを現在の状態に合わせるためのスポットカラー補正テーブルを生成・更新するスポットカラー補正テーブル調整部２１、該スポットカラー補正テーブルを格納するスポットカラー補正テーブル格納部２１Ａ、スポットカラー補正テーブルが有効とされる条件データを格納するテーブル有効条件格納部２１Ｂ、目標色をカラーセンサが読み取ったデータが格納される測色値格納部２２から構成される。
【００１２】
また、ジョブ制御部１１は、ジョブをホールドする等の管理を行うジョブ管理部１１Ａ、ジョブ中のジョブチケットを解析するジョブ解析部１１Ｂから構成されている。
【００１３】
プリンタエンジン２は、フロントエンドサーバ１とデータをやりとりする通信Ｉ／Ｆ部２３、出力部２４、カラーセンサを制御するカラーセンサ制御部２５、パッチ出力を読み取るカラーセンサ２６、カラーセンサで読み取られたデータが格納される測色値格納部２７から成る。
【００１４】
図３は、画像データの処理の流れを示す図である。通常のカラーマネージメント処理においてＲＧＢデータもしくはＣＭＹＫデータが入力されるとソースプロファイル、プリンタプロファイルを通してカラーマッチングされ、その後キャリブレーション一次元ＬＵＴに通され、補正されたＣＭＹＫデータとなって出力される。スポットカラー補正の結果を適用する場合は、スポットカラー補正テーブルの目標色の補正データとプリンタプロファイルの両方を参照して、該画像データを出力する。
【００１５】
図４は、本発明で使用されるスポットカラー補正テーブルの一例である。色票毎にテーブルを分け、各テーブルはそれぞれ、色名、該当する色度、該色票色を出力する際の初期プリンタプロファイルとの差分値（デバイス色の補正値）、テーブル更新日時を項目として保持する。
【００１６】
図５は、本発明の一実施例を説明するＬａｂ色空間の模式図である。目標色 (L1,a1,b1) に対してプリンタプロファイルのルックアップテーブル（Lab→CMYK）の目標色を囲む８点のグリッドを示している。変動前は初期プロファイルによるマッチング結果 (C1,M1,Y1,K1) で目標色 (L1,a1,b1) が再現できていた。プリンタの変動により目標色 (L1,a1,b1) を再現するためにマッチング結果が (C2,M2,Y2,K2) となるようにスポットカラー補正テーブルの調整を行う。
【００１７】
図６は、本発明におけるクライアントAのUIの一例である。スポットカラー補正テーブルの有効条件を、本画面において入力することができる。ユーザはこの画面から、スポットカラー補正テーブルの有効期限と、スポットカラー補正テーブルを利用した際の測色値と目標色との最大色差ΔEを設定し、この条件を満たさない場合は自動的にスポットカラー補正テーブルの更新処理が行われる。
【００１８】
図７は、テーブル有効条件格納部２１Ｂに格納される、スポットカラー補正テーブルの有効条件データの一例である。スポットカラー補正テーブル調整部２１は、この条件データを参照して、スポットカラー補正テーブルを更新するか判断する。
【００１９】
図８は、本提案で使用されるカラーセンサの例である。特開２００１−３２４８４６号公報の図８で示されたようなカラーセンサを使用してもよい。カラーセンサ２８は、ホルダー２８Ｃ内に、ＬＥＤなどの発光素子２８Ａ、およびフォトダイオード、ＣｄＳなどの受光素子２８Ｂに組み込んで成っている。カラーセンサ２８は、発光素子２８Ａから光を転写ベルト２９上のパッチＴに照射し、パッチＴからの反射光を受光素子２８Ｂで受け取ることにより、パッチＴの色度を測定するものである。
【００２０】
図９は、ジョブデータが、ジョブに対して処理を指示する内容が記述されているジョブチケットデータと、ＰＤＦ、ＰＳ、ＴＩＦＦ、ＪＰＥＧ等の実際のデータであるジョブデータファイルから構成されていることを示している。
【００２１】
図１０は、ジョブチケットデータの一例を示している。ここでは、レイアウト情報には用紙サイズ設定情報、用紙種類の情報、ページオリエンテーション情報等が含まれる。またカラーマネージメント情報は、ＲＧＢとＣＭＹＫのソースプロファイル、プリンタプロファイル、キャリブレーション設定などで構成されている。
【００２２】
図１１は、スポットカラー補正テーブルの有効条件をフロントエンドサーバ１に格納する処理を示したフローチャートである。
【００２３】
ステップ１１０で、ユーザは図６に示すＵＩを用いて有効条件データを入力し、ステップ１１１に進む。
【００２４】
ステップ１１１において、入力された有効条件データは、テーブル有効条件格納部２１Ｂに格納され、処理を終了する。
【００２５】
図１２は、図２の構成を用いて本発明のスポットカラー補正テーブルの有効条件との比較工程を説明するフローチャートである。
【００２６】
ステップ１２０において、クライアントAのUIから目標色の色番号が入力され、プロファイル格納部１８Aにあるスポットカラー用ソースプロファイルを参照して、目標色の色番号に対応するデバイス非依存の色値を得て、色番号と共に目標色格納部１６に保持される。
【００２７】
ステップ１２１において、プロファイル格納部１８Aにある初期プリンタプロファイルを参照して、目標色に対応するデバイス色(C1,M1,Y1,K1)を得て、ステップ１０２に進む。
【００２８】
ステップ１２２において、スポットカラー補正テーブル格納部２１Ａにあるスポットカラー補正テーブルより、該初期プリンタプロファイル作成時と該スポットカラー補正テーブル作成時とのデバイス色の差分値データ(C2-C1, M2-M1, Y2-Y1, K2-K1)と、該スポットカラー補正テーブルの該当個所の最終更新日時を得る。
【００２９】
ステップ１２３において、スポットカラー補正テーブル調整部２１で、テーブル有効条件格納部２１Ｂに格納されている、スポットカラー補正テーブルの有効期限データと、上記テーブルの最終更新日時の比較を行い、有効期限を過ぎていない場合は処理を終了する。過ぎている場合は、ステップ１２４に進む。
【００３０】
ステップ１２４において、上記初期プリンタプロファイルに上記差分値データを適用したスポットカラー補正テーブル作成時のデバイス色推定値(C2,M2,K2,Y2)のパッチを、カラーマネージメント処理部１８とプリンタエンジン２の出力部２４を利用して出力する。
【００３１】
ステップ１２５において、出力した２つのパッチをカラーセンサ２６によって測色し、目標色(L1,a1,b1)との色差ΔＥを算出する。
【００３２】
ステップ１２６において、ΔＥは有効条件の範囲内かをチェックし、範囲内である場合は処理を終了する。範囲外の場合は、ステップ１２７に進む。
【００３３】
ステップ１２７において、上記スポットカラー補正テーブルの該当個所を更新する処理を行い、処理を終了する。このステップでの処理については、図１３で詳細に説明する。
【００３４】
図１３は、ステップ１２７のスポットカラー補正テーブルの該当個所を更新する処理の詳細を示すフローチャートである。
【００３５】
ステップ１３０において、カラーパッチ生成部１７により目標色とプロファイル格納部１８Ａに格納されている初期プリンタプロファイルを使って、デバイス非依存色のカラーパッチデータが生成される。この処理の詳細は、図１４を用いて後ほど説明する。該カラーパッチデータはカラーパッチデータ格納部１７Aに格納される。
【００３６】
ステップ１３１で、カラーマネージメント処理部１８により、カラーパッチ格納部１７Aに格納されているデバイス非依存色のカラーパッチデータが、初期プリンタプロファイルを使ってデバイス色パッチデータに変換される。例えば、目標色 (L1,a1,b1) に対しては、 (C1,M1,K1,Y1) という結果が得られる。これをデバイス色パッチデータ格納部１９に格納する。
【００３７】
ステップ１３２で、先ほどのデバイス色パッチデータがプリンタエンジン２に転送され、出力部２４が該デバイス色パッチデータを使ってカラーチャート出力物を出力する。
【００３８】
ステップ１３３で、カラーセンサ制御部２５がカラーセンサ２６を使ってカラーチャート出力物の測色を行い、カラーチャート測色値を求め、測色値格納部２７に格納する。
【００３９】
ステップ１３４において、測色値格納部２７にあるカラーチャート測色値がフロントエンドサーバ1に転送され、デバイス色推定部２０がデバイス色パッチデータと該カラーチャート測色値から目標色を再現するためのデバイス色を推定する。例えばデバイス非依存色空間において補間計算をすればよい。ここでの計算例は、図１４の説明の後に、詳細に説明する。ここで得られたデバイス色推定値を(C2,M2,K2,Y2)とし、デバイス色格納部２０Ａに格納される。
【００４０】
ステップ１３５において、スポット補正テーブル調整部２１が目標色(L1,a1,b1)に対してのマッチング結果が、デバイス色(C2,M2,K2,Y2)になるように、スポット補正テーブルに初期プリンタプロファイルとの差分値(C2-C1, M2-M1, Y2-Y1, K2-K1)を書き込む。また、テーブルの最終更新日時を更新する。更新したテーブルは、スポット補正テーブル格納部２１Aに格納し、処理を終了する。
【００４１】
図１４は、ステップ１３０におけるカラーパッチデータ作成処理を詳細に説明するフローチャートである。
【００４２】
ステップ１４０で、入力された目標色を (L1,a1,b1) とする。
【００４３】
0≦L1≦100, -128≦a1≦128, -128≦b1≦128
ステップ１４１で、プロファイルのルックアップテーブルのグリッド数から１を減算した値を n とする。例えばグリッド数が３３であれば n = 32 である。
【００４４】
i = L1/100 * n
j = (a1+128)/256 * n
k = (b1+128)/256 * n
（小数点以下切捨て）
上記式によりLab色空間グリッドのインデックス i, j, k を求める。0≦i, j, k≦n
ステップ１４２において、初期プリンタプロファイルの BToA1Tag の３次元ルックアップテーブルから
(i, j, k) (i, j, k+1) (i, j+1, k) (i, j+1, k+1) 
(i+1, j, k) (i+1, j, k+1) (i+1, j+1, k) (i+1, j+1, k+1)
上記のインデックスで示される８点グリッドのデータをカラーパッチデータとし、順に P11, P12, P13, P14, P15, P16, P17, P18 とする。これで処理を終了する。
【００４５】
ここで、ステップ１３４におけるデバイス色の推定処理例を詳細に説明する。
【００４６】
上記８点のカラーパッチ P11〜P18 のデバイス色パッチデータをそれぞれ(C11,M11,Y11,K11)〜(C18,M18,Y18,K18)とし、カラーチャート測色値をそれぞれ(L11,a11,b11)〜(L18,a18,b18)とする。またP21〜P27は、デバイス色推定値P2を求めるための中間データとする。
【００４７】
（P11,P12からP21を求める）
L21 = (L12-L11)*(b1-b11)/(b12-b11) + L11
a21 = (a12-a11)*(b1-b11)/(b12-b11) + a11
C21 = (C12-C11)*(b1-b11)/(b12-b11) + C11
M21 = (M12-M11)*(b1-b11)/(b12-b11) + M11
Y21 = (Y12-Y11)*(b1-b11)/(b12-b11) + Y11
K21 = (K12-K11)*(b1-b11)/(b12-b11) + K11
（P13,P14からP22を求める）
L22 = (L14-L13)*(b1-b13)/(b14-b13) + L13
a22 = (a14-a13)*(b1-b13)/(b14-b13) + a13
C22 = (C14-C13)*(b1-b13)/(b14-b13) + C13
M22 = (M14-M13)*(b1-b13)/(b14-b13) + M13
Y22 = (Y14-Y13)*(b1-b13)/(b14-b13) + Y13
K22 = (K14-K13)*(b1-b13)/(b14-b13) + K13
（P21,P22からP23を求める）
L23 = (L22-L21)*(a1-a21)/(a22-a21) + L21
C23 = (C22-C21)*(a1-a21)/(a22-a21) + C21
M23 = (M22-M21)*(a1-a21)/(a22-a21) + M21
Y23 = (Y22-Y21)*(a1-a21)/(a22-a21) + Y21
K23 = (K22-K21)*(a1-a21)/(a22-a21) + K21
（P15,P16からP24を求める）
L24 = (L16-L15)*(b1-b15)/(b16-b15) + L15
a24 = (a16-a15)*(b1-b15)/(b16-b15) + a15
C24 = (C16-C15)*(b1-b15)/(b16-b15) + C15
M24 = (M16-M15)*(b1-b15)/(b16-b15) + M15
Y24 = (Y16-Y15)*(b1-b15)/(b16-b15) + Y15
K24 = (K16-K15)*(b1-b15)/(b16-b15) + K15
（P17,P18からP25を求める）
L25 = (L18-L17)*(b1-b17)/(b18-b17) + L17
a25 = (a18-a17)*(b1-b17)/(b18-b17) + a17
C25 = (C18-C17)*(b1-b17)/(b18-b17) + C17
M25 = (M18-M17)*(b1-b17)/(b18-b17) + M17
Y25 = (Y18-Y17)*(b1-b17)/(b18-b17) + Y17
K25 = (K18-K17)*(b1-b17)/(b18-b17) + K17
（P24,P25からP26を求める）
L26 = (L25-L24)*(a1-a24)/(a25-a24) + L24
C26 = (C25-C24)*(a1-a24)/(a25-a24) + C24
M26 = (M25-M24)*(a1-a24)/(a25-a24) + M24
Y26 = (Y25-Y24)*(a1-a24)/(a25-a24) + Y24
K26 = (K25-K24)*(a1-a24)/(a25-a24) + K24
（P23,P26からP27を求める）
C27 = (C26-C23)*(L1-L23)/(L26-L23) + C23
M27 = (M26-M23)*(L1-L23)/(L26-L23) + M23
Y27 = (Y26-Y23)*(L1-L23)/(L26-L23) + Y23
K27 = (K26-K23)*(L1-L23)/(L26-L23) + K23
(C27,M27,Y27,K27)が推定されたデバイス色(C2,M2,Y2,K2)である。
【００４８】
図１５、図１６は、本発明において実際にスポットカラー補正テーブルを使用して、ジョブを出力する処理の一例を詳細に示したフローチャートである。
【００４９】
ステップ１５０において、クライアントＡからジョブデータをフロントエンドサーバ１にネットワークを通じて送信してステップ１５１に進む。
【００５０】
ステップ１５１で、ジョブデータ中のジョブチケットデータのみを取り出し、ステップ１５２に進む。
【００５１】
ステップ１５２で、該ジョブチケットデータをジョブ解析部１１Ｂで解析して、ステップ１５３へ進む。
【００５２】
ステップ１５３において、図１０のジョブチケットデータ中の、出力する用紙種類の情報をInfo_mediaにセットしてステップ１５４へ進む。
【００５３】
ステップ１５４で、ＰＤＬインタプリタ部１２でジョブファイルのデータを解析して、中間データを生成して、ステップ１５５に進む。
【００５４】
ステップ１５５において、ステップ１５４で生成された中間データを中間データ格納部１３に格納し、ステップ１５６に進む。
【００５５】
ステップ１５６において、図１０のキャリブレーション設定情報を取り出し、スポットカラー補正テーブルによる補正を行うかどうかチェックする。行わない場合はステップ１５７へ進み、中間データ格納部１３に格納された中間データに対して、カラーマネージメント処理部１８において、ＲＧＢ、ＣＭＹＫデータに対してカラーマッチング及びキャリブレーション処理を行う通常のフローを適用してステップ１５９に進む。スポットカラー補正テーブルによる補正を行う場合は、ステップ１５８に進む。
【００５６】
ステップ１５８において、中間データ格納部１３に格納された中間データに対して、本発明で提案したスポットカラー補正テーブルによる処理をカラーマッチング処理部１８にて行い、ステップ１５９に進む。
【００５７】
ステップ１５９で、ステップ１５７もしくはステップ１５８の中間データを、レンダリング部１４でビットマップイメージデータに展開して、ステップ１６０に進む。
【００５８】
ステップ１６０において、前記展開されたビットマップイメージデータをプリンタエンジン２に転送し、ステップ１６１に進む。
【００５９】
ステップ１６１で、Ｉｎｆｏ＿ｍｅｄｉａ情報に基づいて用紙を選択してステップ１６２に進む。
【００６０】
ステップ１６２で、前記選択された用紙に印刷し、処理を終了する。
【００６１】
図１７は、ステップ１５８のスポットカラー補正テーブルを用いた補正処理の詳細を示すフローチャートである。
【００６２】
ステップ１７０において、図１０のキャリブレーション設定情報から取り出した、目標色の色番号が入力される。
【００６３】
ステップ１７１において、スポットカラー用ソースプロファイルから、入力した色番号に対応した目標色 (L1,a1,b1)を得て、ステップ１７２に進む。
【００６４】
ステップ１７２において、 プロファイル格納部１８Ａにある初期プリンタプロファイルより目標色 (L1,a1,b1)に対応するデバイス依存のデバイス色を得る。その結果を (C1,M1,K1,Y1) とする。また、スポットカラー補正テーブル格納部２１Ａにあるスポットカラー補正テーブルより、初期プリンタプロファイル作成時のデバイス色と現在の状態でのデバイス色との差分値(C2-C1, M2-M1, Y2-Y1, K2-K1)を得る。
【００６５】
ステップ１７３において、初期プロファイルの３次元ルックアップテーブルのグリッドでLab色空間上において目標色 (L1,a1,b1) を囲む上述の P11〜P18 の８点に対して、(C2-C1, M2-M1, Y2-Y1, K2-K1) を加算して、カラーマネージメント処理部１８にてカラーマッチングを行い、処理を終了する。
【００６６】
（他の実施例）
本実施例では、出力パッチの読み取り手段として、カラーセンサ（ＲＧＢ）を例として挙げているが、色度を測定可能な測色計を代用することも可能である。
【００６７】
また本実施例では、１つのサイトによる処理を挙げているが、カラーセンサのように自動的に測色する測色機を利用することにより、ＷＡＮ等の大規模ネットワークで結ばれた複数のサイトで構成されるネットワーク上においてリモート処理を行うことも可能である。
【００６８】
また本実施例では、目標色を色票の色番号によって指定する例を挙げているが、デバイス非依存の色値をインデックスとしたスポットカラー補正テーブルへの拡張も可能である。
【図面の簡単な説明】
【００６９】
【図１】本発明の一実施例によるネットワークシステムの構成を示す図である
【図２】フロントエンドサーバ１、プリンタエンジン２の構成を示す図である
【図３】カラーマネージメント処理のフロー図である
【図４】本発明で使用するスポット補正テーブルの一例である
【図５】本発明の一実施例を説明するＬａｂ色空間の模式図である
【図６】ステップ１２０において、スポットカラー補正テーブルの有効条件を入力するUIの一例である
【図７】ステップ１２１において、有効条件格納部に格納するデータ形式の一例である
【図８】本発明において使用されるカラーセンサの一例である
【図９】ジョブデータの内部構成を示す図である
【図１０】ジョブチケットデータの内部構成を示す図である
【図１１】スポットカラー補正テーブルの有効条件を入力する処理の詳細を示すフローチャートである
【図１２】本発明のメイン処理のフローチャートである
【図１３】ステップ１１７スポットカラー補正テーブルの更新処理を詳細に示すフローチャートである
【図１４】ステップ１３０でのカラーパッチデータ作成処理の詳細を示すフローチャートである
【図１５】本発明での処理結果をジョブ出力時に適用する処理の一例を示すフローチャートである
【図１６】本発明での処理結果をジョブ出力時に適用する処理の一例を示すフローチャートである
【図１７】ステップ１５８でのスポットカラー補正テーブルによるカラーマッチング処理の詳細を示すフローチャートである
【符号の説明】
【００７０】
１０  ネットワークＩ／Ｆ部
１１  ジョブ制御部
１１Ａ  ジョブ管理部
１１Ｂ  ジョブ解析部
１２  ＰＤＬインタプリタ部
１３  中間データ格納部
１４  レンダリング部
１５  （フロントエンドサーバ１）通信Ｉ／Ｆ部
１６  目標値格納部
１７  カラーパッチ生成部
１７Ａ  カラーパッチデータ格納部
１８  カラーマネージメント処理部
１８Ａ  プロファイル格納部
１８Ｂ  キャリブレーション一次元ＬＵＴ
１９  デバイス色パッチデータ格納部
２０  デバイス色推定部
２０Ａ  デバイス色格納部
２１  スポットカラー補正テーブル調整部
２１Ａ  スポットカラー補正テーブル格納部
２１Ｂ  テーブル有効条件格納部
２２  測色値格納部
２３  （プリンタエンジン２）通信Ｉ／Ｆ部
２４  出力部
２５  カラーセンサ制御
２６  カラーセンサ
２７  （プリンタエンジン２）測色値格納部
２８  カラーセンサ
２８Ａ  発光素子
２８Ｂ  受光素子
２８Ｃ  ホルダー
２９  転写ベルト
【図１】
2008301350.tif 000003
【図２】
2008301350.tif 000004
【図３】
2008301350.tif 000005
【図４】
2008301350.tif 000006
【図５】
2008301350.tif 000007
【図６】
2008301350.tif 000008
【図７】
2008301350.tif 000009
【図８】
2008301350.tif 000010
【図９】
2008301350.tif 000011
【図１０】
2008301350.tif 000012
【図１１】
2008301350.tif 000013
【図１２】
2008301350.tif 000014
【図１３】
2008301350.tif 000015
【図１４】
2008301350.tif 000016
【図１５】
2008301350.tif 000017
【図１６】
2008301350.tif 000018
【図１７】
2008301350.tif 000019